(57)【要約】【課題】  交通時の安全性確保や遭難時における早期発見と救済を図るため、広範囲に亘って車両のライトや救命照明装置からの照明光線を確実に光再帰せしめて事故防止や遭難者の早期発見が可能な、全方位光再帰性紐状体の提供。【解決手段】  細繊度で柔軟な合成繊維を高密度に編製若しくは織製させた基布の一側面に、極微粒なガラスビーズを柔軟な接着剤で緻密に接着させ、光再帰層が形成された光再帰性基材を、その断面が所望の円筒形状に縫合しえる幅に裁断のうえ、光再帰層が外面となるよう紐状体に縫合させる。【選択図】図２
2015048565.tif 000002
【特許請求の範囲】
【請求項１】
細繊度で柔軟な合成繊維素材を高密度に編製若しくは織製してなる基布の一側面に、極微粒なガラスビーズを柔軟な接着剤を用いて緻密に接着させて光再帰層が形成された光再帰性基材となし、この光再帰性基材をその断面が所望の円筒形状に縫合しうる幅に裁断のうえ、光再帰層が外面となるよう紐状体に縫合させてなる、全方位光再帰性紐状体。
【請求項２】
細繊度で柔軟な合成繊維素材がポリアミド系合成繊維が７０乃至８０％割合と、ポリウレタン系合成繊維が２０乃至３０％割合で混合されてなる、請求項１記載の全方位光再帰性紐状体。
【発明の詳細な説明】
【技術分野】
【０００１】  本発明は全方位に光再帰性反射機能を有する柔軟な紐状体に係り、更に詳しくは柔軟な編織生地の一側面に再帰性反射層が形成されたうえ、この再帰性反射層面を外面に且所要の直径の円筒形状に縫合形成させてなる全方位光再帰性反射紐状体に存する。
【背景技術】
【０００２】  現在自動車社会は極度の過剰状態にあり、レジャーはもとより平時の通勤時間帯は異常渋滞が毎日発生しており、従ってこの渋滞を避けるため裏通りや狭小な路地をも侵入走行するものであって、これら裏通りや路地等では表通りに比べて照明装置も不備なうえ路幅も狭くかつ交叉路地も多数有るため、歩行者や自転車利用者の裏通りへの進入に際しての発見が遅れ人身事故が多発しており、更には自動車運転者の高齢化に伴い注意力や危険認識力の低下による人身事故も多々発生している。
加えて今日では高齢化社会とともに、体力や判断力の低下を自覚することなく積極的に観光やショッピング観劇等への外出はもとより、登山や山岳縦走或いは河川や湖沼若しくは海洋等へボート、カヌー、カヤック等にまで乗船参画している。【０００３】  而し乍ら参画者の高齢化と共に体力の低下や判断力自体も大幅に衰退しており、気象条件の急激な変化に対しての対処能力に乏しく再々に亘って遭難事故が発生している。
そして遭難に類する事故が発生した場合に、遭難者の意識や身体動作が可能な場合には、携帯電話により若しくは保持したＬＥＤ発光器等を使用し遭難位置の確認も比較的容易になしえ生存救出も可能となるが、特に山岳や原野等では樹木や草木も密集繁茂しており昼間でさえ暗く、一刻も早く確認するうえから照明装置を使用し、特には日没や夜間捜索時には専ら照明装置による照射で発見を図る以外に特段の確認手段も無い。加えて問題なのは山岳はもとより河川や海上等での遭難は極めて広範囲に亘るため照明装置を用いても返射光による確認には相当に緻密な区画内の捜索が必要になる。【０００４】  発明者等はかかる問題に対処するために捜索時の照明装置からの照度が広範囲長距離に亘って減衰しても、その受光光線を照明装置に向かって拡散消滅させることなく光再帰返光せしめて遭難者の早期発見をなすため、合成樹脂フィルム基材に光再帰性反射加工が施され且適宜の幅に裁断された再帰性糸条を適宜繊維素材からなるストランドと組編された反射ロープや、合成樹脂フィルムの一側面に光再帰性加工が施された光再帰性フィルム材を、その幅が円の中心より２２．５度乃至４５度の角度の曲率の円弧と等しい形状と長さに加圧変形させた弾性弧形基材の外面に接着させた標識バンド等で実用テストを繰返して来たものの、かかる光再帰性素材は扁平な合成樹脂フィルム材の側面に光再帰性反射層を形成のうえ細幅状となしたものであって、適宜繊維素材からなるストランドと組編させたロープでは光再帰性素材が捩れたり折合し且ストランド相互に隠れたりして有効に光再帰性能が発揮されず、更には光再帰性フィルム材を弾性弧形基材の外面に接着させた標識バンドも、光再帰性反射層は扁平であるから、車両のライトも捜索用照明装置の光軸も直交する角度で照射されぬ限り十分な視認性も発揮されない。
【特許文献１】特公平８−１１８７４号公報
【特許文献２】実用新案登録第３１４０４１６号公報
【０００５】  そこで発明者等は更なる研究を重ねた結果、細繊度で柔軟な合成繊維を高密度に編製若しくは織製させた基布の一側面に極微粒なガラスビーズを柔軟な接着剤により緻密に接着させて光再帰層を形成して光再帰性基材となしたうえ、この光再帰性基材を所望の幅に裁断し、その光再帰層が外面となるよう且裁断面が円形に縫合せしめて紐状体となすことにより、広範囲の使用途に且光再帰性が強く創出され、危険防止用はもとより、遭難時における捜索も簡便且確実に発見しえることに想到し本発明に至った。
【発明の開示】
【発明が解決しようとする課題】
【０００６】  本発明は交通時における安全性の確保や遭難時における遭難者の早期発見と救済を可能となすため広範囲に使用でき、且車両のライトや救命照明装置からの照明光線が遠距離に亘って照度が低下し或いは光軸が遊動しても光再帰性が有効に発揮されて、危険防止や遭難者の早期発見が可能な、全方位光再帰性紐状体を提供することにある。
【課題を解決するための手段】
【０００７】  上述の課題を解決するために本発明が採用した術的手段は、細繊度で柔軟な合成繊維を用いて高密度に編製若しくは織製させてなる基布の一側面に極微粒なガラスビーズを柔軟な接着剤を用いて緻密に接着させて光再帰層が形成された光再帰性基材となしたるうえ、この光再帰性基材をその断面が所望の円筒形状に縫合しえる幅に裁断のうえ光再帰層を外面となるよう紐状体に縫合させてなる構成に存する。
【発明の効果】
【０００８】  本発明は上述の如き構成からなるため以下のような特有の効果を発揮する。即ち光再帰性基材が細繊度で柔軟な合成繊維を用いて高密度に編製若しくは織製させて基布が形成されるため、高密度な構成ながら柔軟性に優れ且編製による場合には極めて大きな伸縮性も創出される。そしてこの基布の一側面には極微粒のガラスビーズが柔軟な接着剤で緻密に接着されて光再帰層が形成された光再帰性基材を所望の幅に裁断し、光再帰層が外面となるよう且断面が適宜の円筒形状となるよう縫合せしめて紐状体となしたものであるから、使用が広範囲になしえ、例えば外出用付属品や小間物、手持品等の吊り下げ紐や、旅行鞄並びにスーツケース、或いは乳母車や小児自転車等への巻回固定させ、或いはバッグ類やカバン類の側縁部に縫合せしめて車両灯火による即時に危険認識させて事故防止を図り更には登山や山岳或いはカヤックやカヌー等の外着や保護衣の縁部に縫合により、デザインを崩壊させることなく短時に遭難者の発見が可能となる。
【発明を実施するための最良の形態】
【０００９】  その単糸繊度が１乃至３μｍのポリカミド合成繊維が８０％割合にポリウレタン合成繊維が２０％割合の合成繊維を用いてその編目を高密度に編製のうえ、その一側面に粒径が２０乃至４０μｍの極微粒ガラスビーズをポリウレタン接着剤で緻密に接着させて光再帰層が形成された光再帰性基材となしたるうえ、この光再帰性基材をその断面が所望の円筒形状に縫合しえる幅に裁断し且光再帰層が外面となるよう紐状体に縫合させる。
【実施例１】
【００１０】  以下に本発明実施例を図に基づき詳細に説明すれば、図１の本発明を形成する光再帰性基材１は成可く柔軟性に優れるとともに、強靭で軽量なものが望まれ、更には実用使用に際してはなるべく伸縮性を保持させることが望ましい。これがためには使用合成繊維素材１Ａとしては、その単糸繊度が１乃至３デニールで、且ポリアミド系合成繊維が略７０乃至８０％割合にポリウレタン系合繊維が略２０乃至３０％割合で混合させた合成繊維素材１Ａが好適である。そしてかかる合成繊維素材１Ａを用いて形成される光再帰性基材１には、その一側面に極微粒状、望ましくはその粒径が２０乃至４０μｍのガラスビーズからなる光再帰材２Ａが、ポリウレタン系接着剤２Ｂにより緻密平滑に接着され、且接着剤が漏出せぬよう十分高密度に編製若しくは織製させるものであって、更にかかる光再帰性基材１に十分な伸縮性を保持させるうえからは編製が望ましく、より具体的にはラッセル編網等が好適である。当然に大きな伸縮性を望まぬ場合では織製による手段が選択される。【００１１】  光再帰性基材１の一側面に接着形成される光再帰層２の光再帰剤２Ａはその粒径が略２０乃至４０μｍ程度の極微粒状のガラスビーズが使用できるもので、該光再帰材２Ａは可能な限り緻密に接着形成させることにある。
かくして形成された光再帰性基材１は、実用使用において道路歩行の安全に際しては車両ヘッドライトに対して強力に光再帰性を発揮させ事故防止を図り、或いは登山や山岳歩行若しくは河川や海上等における遭難等に際しては捜索照明光線に対し確実な光再帰を発生せしめ遭難者の早期発見と救命を図るためヘッドライトや捜索照明光線の光軸が遊動しても有効に光再帰性を発揮せしめるうえからは光再帰層２が外表面に且円筒形状に形成させることにある。【００１２】  そこで図２に示す如く光再帰性基材１を所望の円筒形状に形成しえる幅に裁断のうえ、光再帰層２が外面に配位されるよう、その両端縁を相互にミシン縫合３Ａさせることにより、本発明紐状体３が形成される。
そしてこの紐状体３の具体的使用例が図３乃至図５に亘って示されてなるもので、図３においては、外出時に身の回り品や小物類を収納部４に収納のうえストラップの代用として使用し、更に図４には外出時に持参するバッグ５の周縁部に本発明紐状体３を縫着し若しくは接着して、歩行時における車両ヘッドライトに対し光再帰性による早い危険認知により事故防止を図り、更には図５に示す如く、登山や山岳歩行やボート、カヌー、カヤック等による河川や湖沼或いは海洋等での遭難に際しても、外着や専用ユニフォーム等の首回りや袖口或いは腹回り等に紐状体３を縫着若しくは接着することにより、照明光線に対して光再帰性が有効に働き早期発見と人命救助に大きく寄与する。
【産業上の利用可能性】
【００１３】  使用目的に合わせて円形の径と長さの紐状体を形成することにより、即時に実用使用に供し得る。
【図面の簡単な説明】
【００１４】
【図１】  光再帰性基材の説明図である。
【図２】  本発明全方位光再帰性紐状体の説明図である。
【図３】  ストラップへの使用例示図である。
【図４】  バッグの周縁部への使用例示図である。
【図５】  専用ユニフォームへの使用例示図である。
【符号の説明】
【００１５】  １      光再帰性基材
１Ａ    合成繊維素材
２      光再帰層
２Ａ    光再帰材
２Ｂ    ポリウレタン系接着剤
３      本発明紐状体
３Ａ    ミシン縫合
４      身の回り品や小物類の収納部
５      バッグ
６      外着や専用ユニフォーム
【図１】
2015048565.tif 000003
【図２】
2015048565.tif 000004
【図３】
2015048565.tif 000005
【図４】
2015048565.tif 000006
【図５】
2015048565.tif 000007